(57)【要約】      （修正有）【課題】複数人で１台のノートパソコンを使用して交流をとるのに適用でき、さらに省エネルギーの機能を有するデュアルディスプレイノートパソコンを提供する。【解決手段】本体１２およびその上のキーボード１３と、本体１２と接続されるメインディスプレイ１１を含む。メインディスプレイ１１の背面にさらにサブディスプレイ１４が１つ設置され、サブディスプレイ１４およびメインディスプレイ１１はいずれも本体１２により制御することができる。メインディスプレイ１１を操作するとき、キーボード１３を使用して操作することができ、タッチスクリーンでもよい。サブディスプレイ１４はタッチスクリーンであるが、同一の本体により制御される。本体１２にイメージ出力ポート１５、１６を設け、各ディスプレイ１１、１４と本体とを接続する。【選択図】図４
0003183002.tif 000002
【実用新案登録請求の範囲】
【請求項１】
本体およびその上のキーボードと、前記本体と接続されるメインディスプレイを含むデュアルディスプレイノートパソコンであって、前記メインディスプレイの背面にさらにサブディスプレイが１つ設置され、前記本体により制御される、デュアルディスプレイノートパソコン。
【請求項２】
前記サブディスプレイおよび前記メインディスプレイが、それぞれ前記本体の２つのイメージ出力ポートと接続される、請求項１に記載のデュアルディスプレイノートパソコン。
【請求項３】
前記サブディスプレイがタッチスクリーンである、請求項２に記載のデュアルディスプレイノートパソコン。
【請求項４】
前記サブディスプレイおよび前記メインディスプレイが一体型構造である、請求項２に記載のデュアルディスプレイノートパソコン。
【請求項５】
前記サブディスプレイおよび前記メインディスプレイが分離可能な構造である、請求項２に記載のデュアルディスプレイノートパソコン。
【請求項６】
前記サブディスプレイが前記メインディスプレイの背面とヒンジ接続部品により接続され、自由に回転させることができる、請求項５に記載のデュアルディスプレイノートパソコン。
【請求項７】
前記サブディスプレイおよび前記メインディスプレイの大きさが同じである、請求項４または５に記載のデュアルディスプレイノートパソコン。
【請求項８】
前記サブディスプレイおよび前記メインディスプレイの大きさが異なる、請求項４または５に記載のデュアルディスプレイノートパソコン。
【考案の詳細な説明】
【技術分野】
【０００１】
本考案はノートパソコン分野に関し、特にデュアルディスプレイノートパソコンに関する。
【背景技術】
【０００２】
現在、コンピュータ技術の急速な発展に伴い、各種の利用におけるノートパソコンの使用はしだいに多くなっているが、これと同時に実際の利用において、改良の必要があるいくつかの問題も明らかになっている。コンピュータ業界におけるノートパソコンについて、その構造は本体およびその上に設置されるキーボードからなり、その本体の一端は連結軸により回転可能な１つのディスプレイと接続される。我々は他の人とノートパソコンで交流を行うとき、たびたび一緒に集まって１つの側面でスクリーンを見るか、または絶えずノートパソコンの角度を調整することにより、隣および向かいの人の視線に適応させなければならない。
【０００３】
家族で１台のノートパソコンを使用するとき、大人は映画を見たいこともあるし、また何かを書くこともあるが、一方で、子どもは勉強に使用するつもりである場合、対立してしまうが、既存のノートパソコンではこの種の問題を解決することができない。
【考案の概要】
【考案が解決しようとする課題】
【０００４】
上記の既存技術の欠点に対し、本考案の実施例は複数人で１台のノートパソコンを使用して交流およびコミュニケーションをとるのに適用でき、さらに省エネルギーの機能を有するデュアルディスプレイノートパソコンを提供する。
【課題を解決するための手段】
【０００５】
上記目的を実現するため、本発明の技術的解決案は次の通りである。本考案は本体およびその上のキーボードと、前記本体と接続されるメインディスプレイを含み、前記メインディスプレイの背面にさらにサブディスプレイが１つ設置され、前記本体により制御される、デュアルディスプレイノートパソコンを提供する。
【０００６】
前記サブディスプレイおよび前記メインディスプレイは、それぞれ前記本体の２つのイメージ出力ポートと接続される。
【０００７】
前記サブディスプレイはタッチスクリーンである。
【０００８】
前記サブディスプレイおよび前記メインディスプレイは一体型構造である。
【０００９】
前記サブディスプレイおよび前記メインディスプレイは分離可能な構造である。
【００１０】
前記サブディスプレイおよび前記メインディスプレイの大きさは同じである。
【００１１】
前記サブディスプレイおよび前記メインディスプレイの大きさは異なる。
【００１２】
前記サブディスプレイは直接メインディスプレイの背面に嵌め込まれて一体型構造が形成され、分離することもできる。または前記メインディスプレイの背面とヒンジ接続部品により接続され、自由に回転させることができる。
【考案の効果】
【００１３】
本考案を既存技術と比較した利点は次の通りである。
【００１４】
１．該設計構造のデュアルディスプレイノートパソコンは、２人以上のユーザが同一のノートパソコンで同時に交流およびコミュニケーションをとるのを満足させることができる。メイン、サブディスプレイに同じ内容を表示することができるため、配置されたメインディスプレイまたはサブディスプレイを相手に向け、一緒に具合よく見ることができる。
【００１５】
２．デュアルディスプレイノートパソコンを２人で使用するとき、メインディスプレイおよびサブディスプレイに異なる内容を表示することができ、大人の映画鑑賞を満足させることも、子どもの勉強での使用を満足させることもできる。
【００１６】
３．面接試験に対応させるとき、メインディスプレイを試験官に向け、サブディスプレイを受験者に向けることができる。試験官側に試験しようとする問題を表示することができ、受験者側はサブディスプレイで問題を回答することができる。時間の節約になり、作業効率が向上する。
【図面の簡単な説明】
【００１７】
【図１】図１は、本考案の実施例において、開いて使用するときの正面構造概要図である。
【図２】図２は、本考案の実施例において、開いて使用するときの背面構造概要図である。
【図３】図３は、本考案の実施例において、閉じて使用するときの構造概要図である。
【図４】図４は、本考案の実施例の構造ブロック図である。
【考案を実施するための形態】
【００１８】
本考案の実施例は、複数人で１つのノートパソコンを使用し交流およびコミュニケーションをとるのに適用でき、さらに省エネルギーの機能を有するデュアルディスプレイノートパソコンを提供する。
【００１９】
以下に具体的実施例および附図により、さらに本考案について説明を行う。
【実施例】
【００２０】
図１に示すのは、本考案を開いて使用するときの正面構造概要図である。図２に示すのは、本考案を開いて使用するときの背面構造概要図である。本体１２およびその上のキーボード１３と、本体１２と接続されるメインディスプレイ１１を含む。メインディスプレイ１１の背面にさらにサブディスプレイ１４が１つ設置され、サブディスプレイ１４およびメインディスプレイ１１はいずれも本体１２により制御することができる。
【００２１】
メインディスプレイ１１を操作するとき、キーボード１３を使用して操作することができ、タッチスクリーンでもよい。サブディスプレイ１４はタッチスクリーンであるが、同一の本体により制御される。
【００２２】
本体１２にイメージ出力ポートが２つ設けられ、メインディスプレイ１１はイメージ出力ポートａ１５を通して本体と接続され、サブディスプレイ１４はイメージ出力ポートｂ１６を通して本体と接続される。
【００２３】
サブディスプレイ１４およびメインディスプレイ１１は一体型構造であり、同時にディスプレイフレーム１７に接続されるか、または分離可能な構造である。サブディスプレイ１４およびメインディスプレイ１１の大きさは同じか異なる。
【００２４】
サブディスプレイ１４は直接メインディスプレイ１１の背面に嵌め込まれて一体型構造が形成され、分離することもできる。またはメインディスプレイ１１の背面とヒンジ接続部品により接続され、自由に回転させることができる。
【００２５】
図３に示すのは、本考案を閉じて使用するときの構造概要図であり、サブディスプレイ１４および２つのディスプレイを支持するディスプレイフレーム１７を含む。閉じているときも、本考案を使用することができ、タブレットＰＣの使用に相当する。
【００２６】
図４に示すのは、本考案の構造ブロック図である。本体１２にキーボード１３が設けられ、メインディスプレイ１１の操作に都合がよい。さらにイメージ出力ポートａおよびイメージ出力ポートｂが設けられ、本体１２はイメージ出力ポートａ１５を通してメインディスプレイ１１と接続され、イメージ出力ポートｂ１６を通してサブディスプレイ１４と接続される。
【００２７】
本考案において、当業者が本考案に対し、本考案の精神および範囲を逸脱せずに、各種の変更および変形を行うことができるのは明らかである。このように、本考案のこれらの修正および変形が、本考案の実用新案登録請求の範囲およびそれらの同じ技術の範囲内に属する場合、本考案にこれらの変更および変形が含まれることを意図する。
【符号の説明】
【００２８】
１１  メインディスプレイ
１２  本体
１３  キーボード
１４  サブディスプレイ
１５  イメージ出力ポートａ
１６  イメージ出力ポートｂ
１７  ディスプレイフレーム
【図１】
0003183002.tif 000003
【図２】
0003183002.tif 000004
【図３】
0003183002.tif 000005
【図４】
0003183002.tif 000006